(57)【要約】【課題】マニュアルチューニング操作による受信周波数の設定作業を容易化する「放送受信機及びマニュアルチューニング方法」を提供する。【解決手段】ユーザの周波数アップ/ダウン操作を受け付け指定周波数を増加/減少させる。ユーザの周波数アップ/ダウン操作が停止したならば、チューナ１０３に指定周波数の周波数チャネルを受信させて、その受信電界強度が所定のしきい値Th以上であるかどうかを調べる。そして、所定のしきい値Th以上でなければ、指定周波数を中心周波数とする所定の周波数範囲をスキャン周波数範囲として、チューナ１０３にスキャン周波数範囲内の各周波数の周波数チャネルを受信させて、各周波数チャネルの受信電界強度を調べ、しきい値Th以上の受信電界強度の周波数チャネルが発見できたならば、その周波数チャネルの周波数を、以降の受信周波数としてチューナ１０３に設定する。【選択図】図３
2014064266.tif 000002
【特許請求の範囲】
【請求項１】
放送を受信するチューナを備えた放送受信機であって、
ユーザの周波数増減操作に応じて指定周波数を増減する指定周波数受付装置と、
ユーザの前記周波数増減操作の停止時に、前記指定周波数に対する前記チューナの受信状態を調査する指定周波数受信状態調査装置と、
受信周波数設定装置とを有し、
当該受信周波数設定装置は、
前記指定周波数受信状態調査装置が調査した前記指定周波数の受信状態が良好であった場合に、当該指定周波数を、以降受信する周波数として前記チューナに設定し、
前記指定周波数受信状態調査装置が調査した前記指定周波数の受信状態が良好でなかった場合に、当該指定周波数周辺の所定の周波数範囲をスキャン範囲として、当該スキャン範囲内に存在する、前記チューナの受信状態が良好な周波数を探索し、当該探索が成功した場合に探索された周波数を、以降受信する周波数として前記チューナに設定することを特徴とする放送受信機。
【請求項２】
放送を受信するチューナを備えた放送受信機であって、
ユーザの周波数増減操作に応じて指定周波数を増減する指定周波数受付装置と、
ユーザの前記周波数増減操作の停止時に、前記指定周波数に対する前記チューナの受信状態を調査する指定周波数受信状態調査装置と、
受信周波数設定装置とを有し、
当該受信周波数設定装置は、
前記指定周波数受信状態調査装置が調査した前記指定周波数の受信状態が良好であった場合に、当該指定周波数を、以降受信する周波数として前記チューナに設定し、
前記指定周波数受信状態調査装置が調査した前記指定周波数の受信状態が良好でなかった場合に、当該指定周波数を中心周波数とする所定の周波数範囲をスキャン範囲として、当該スキャン範囲内に存在する、前記チューナの受信状態が良好な周波数を探索し、当該探索が成功した場合に探索された周波数を、以降受信する周波数として前記チューナに設定することを特徴とする放送受信機。
【請求項３】
請求項１または２記載の放送受信機であって、
前記受信周波数設定装置は、前記スキャン範囲内に存在する前記チューナの受信状態が良好な周波数のうち、前記指定周波数に最も近い周波数を、以降受信する周波数として前記チューナに設定することを特徴とする放送受信機。
【請求項４】
請求項１または２記載の放送受信機であって、
前記受信周波数設定装置は、前記スキャン範囲内に前記チューナの受信状態が良好な周波数が複数存在した場合には、当該複数存在した周波数のうち、受信状態が最も良好な周波数を、以降受信する周波数として前記チューナに設定することを特徴とする放送受信機。
【請求項５】
請求項１または２記載の放送受信機であって、
前記チューナの前記周波数の受信状態は、前記チューナの当該周波数の受信電界強度に基づいて判定されるものであることを特徴とする放送受信機。
【請求項６】
請求項１または２記載の放送受信機であって、
ユーザによって回転操作されるロータリエンコーダスイッチを備え、
前記指定周波数受付装置は、前記ロータリエンコーダスイッチの回転操作を前記ユーザの周波数増減操作として受け付けることを特徴とする放送受信機。
【請求項７】
請求項１または２記載の放送受信機であって、
前記放送はラジオ放送であることを特徴とする放送受信機。
【請求項８】
放送を受信するチューナを備えた放送受信機において、ユーザの周波数増減操作に応じて前記チューナに、当該チューナが受信する周波数を設定するマニュアルチューニング方法であって、
前記放送受信機が、前記ユーザの周波数増減操作に応じて指定周波数を増減する第１のステップと、
前記放送受信機が、ユーザの前記周波数増減操作の停止時に、前記指定周波数に対する前記チューナの受信状態を調査する第２のステップと、
前記放送受信機が、前記第２のステップで調査した前記指定周波数の受信状態が良好であった場合に、当該指定周波数を、以降受信する周波数として前記チューナに設定する第３のステップと、
前記放送受信機が、前記第２のステップで調査した前記指定周波数の受信状態が良好でなかった場合に、当該指定周波数周辺の所定の周波数範囲をスキャン範囲として、当該スキャン範囲内に存在する、前記チューナの受信状態が良好な周波数を探索し、当該探索が成功した場合に探索された周波数を、以降受信する周波数として前記チューナに設定する第４のステップとを有することを特徴とするマニュアルチューニング方法。
【請求項９】
放送を受信するチューナを備えた放送受信機において、ユーザの周波数増減操作に応じて前記チューナに、当該チューナが受信する周波数を設定するマニュアルチューニング方法であって、
前記放送受信機が、前記ユーザの周波数増減操作に応じて指定周波数を増減する第１のステップと、
前記放送受信機が、ユーザの前記周波数増減操作の停止時に、前記指定周波数に対する前記チューナの受信状態を調査する第２のステップと、
前記放送受信機が、前記第２のステップで調査した前記指定周波数の受信状態が良好であった場合に、当該指定周波数を、以降受信する周波数として前記チューナに設定する第３のステップと、
前記放送受信機が、前記第２のステップで調査した前記指定周波数の受信状態が良好でなかった場合に、当該指定周波数を中心周波数とする所定の周波数範囲をスキャン範囲として、当該スキャン範囲内に存在する、前記チューナの受信状態が良好な周波数を探索し、当該探索が成功した場合に探索された周波数を、以降受信する周波数として前記チューナに設定する第４のステップとを有することを特徴とするマニュアルチューニング方法。
【請求項１０】
請求項８または９記載のマニュアルチューニング方法であって、
前記第４のステップにおいて、前記スキャン範囲内に存在する前記チューナの受信状態が良好な周波数のうち、前記指定周波数に最も近い周波数を、以降受信する周波数として前記チューナに設定することを特徴とするマニュアルチューニング方法。
【請求項１１】
請求項８または９記載のマニュアルチューニング方法であって、
前記第４のステップにおいて、前記スキャン範囲内に前記チューナの受信状態が良好な周波数が複数存在した場合には、当該複数存在した周波数のうち、受信状態が最も良好な周波数を、以降受信する周波数として前記チューナに設定することを特徴とするマニュアルチューニング方法。
【発明の詳細な説明】
【技術分野】
【０００１】
本発明は、放送受信機において、ユーザのマニュアルチューニング操作に応じて受信周波数を設定する技術に関するものである。
【背景技術】
【０００２】
放送受信機において、ユーザのマニュアルチューニング操作に応じて受信周波数を設定する技術としては、ラジオ放送を受信する放送受信機において、ロータリエンコーダスイッチに対するユーザの回転操作に応じて受信周波数を漸増/漸減させる技術が知られている（たとえば、特許文献１、２）。
【０００３】
また、ラジオ放送を受信する放送受信機における受信周波数の設定に関する技術として、受信周波数を決定する同調回路の発振周波数を、ユーザによって設定された受信周波数におおよそ一致するように粗調整した後に、受信信号の電界強度を参照して、設定された受信周波数に正確に一致するように微調整する技術も知られている（特許文献３）。
【先行技術文献】
【特許文献】
【０００４】
【特許文献１】特開昭63-250724号公報
【特許文献２】特開平06-216800号公報
【特許文献３】特許第3152999号公報
【発明の概要】
【発明が解決しようとする課題】
【０００５】
ロータリエンコーダスイッチの回転操作に応じて受信周波数を設定する技術によれば、ユーザが所望の周波数に正確に受信周波数を設定できずに、所望の周波数から僅かにずれた周波数に受信周波数を設定してしまうことがある。
たとえば、ユーザがロータリエンコーダスイッチを高速に回転操作した場合や、ユーザが自動車に搭載されたラジオ受信機などの振動下においてロータリエンコーダスイッチを回転操作した場合などには、ロータリエンコーダスイッチの回転を所望の受信周波数に対応する回転位置で停止できずに、所望の周波数から僅かにずれた周波数に受信周波数が設定されてしまうことがある。
【０００６】
そして、このように所望の周波数に正確に受信周波数を設定できなかった場合、ユーザは再度、ロータリエンコーダスイッチを操作して受信周波数を設定し直すめんどうな作業を行う必要が生じることとなる。
そこで、本発明は、マニュアルチューニング操作による受信周波数の設定作業を容易化することを課題とする。
【課題を解決するための手段】
【０００７】
前記課題達成のために、本発明は、放送を受信するチューナを備えた放送受信機に、ユーザの周波数増減操作に応じて指定周波数を増減する指定周波数受付装置と、ユーザの前記周波数増減操作の停止時に、前記指定周波数に対する前記チューナの受信状態を調査する指定周波数受信状態調査装置と、受信周波数設定装置とを設け、当該受信周波数設定装置において、前記指定周波数受信状態調査装置が調査した前記指定周波数の受信状態が良好であった場合に、当該指定周波数を、以降受信する周波数として前記チューナに設定し、前記指定周波数受信状態調査装置が調査した前記指定周波数の受信状態が良好でなかった場合に、当該指定周波数周辺の所定の周波数範囲をスキャン範囲として、当該スキャン範囲内に存在する、前記チューナの受信状態が良好な周波数を探索し、当該探索が成功した場合に探索された周波数を、以降受信する周波数として前記チューナに設定する受信周波数設定装置とを設けたものである。
また、前記課題達成のために、本発明は、放送を受信するチューナを備えた放送受信機に、ユーザの周波数増減操作に応じて指定周波数を増減する指定周波数受付装置と、ユーザの前記周波数増減操作の停止時に、前記指定周波数に対する前記チューナの受信状態を調査する指定周波数受信状態調査装置と、受信周波数設定装置とを設け、当該受信周波数設定装置において、前記指定周波数受信状態調査装置が調査した前記指定周波数の受信状態が良好であった場合に、当該指定周波数を、以降受信する周波数として前記チューナに設定し、前記指定周波数受信状態調査装置が調査した前記指定周波数の受信状態が良好でなかった場合に、当該指定周波数を中心周波数とする所定の周波数範囲をスキャン範囲として、当該スキャン範囲内に存在する、前記チューナの受信状態が良好な周波数を探索し、当該探索が成功した場合に探索された周波数を、以降受信する周波数として前記チューナに設定する受信周波数設定装置とを設けたものである。
【０００８】
ここで、このような放送受信機は、前記受信周波数設定装置において、前記スキャン範囲内に前記チューナの受信状態が良好な周波数が複数存在した場合には、当該複数存在した周波数のうち、前記指定周波数に最も近い周波数を、以降受信する周波数として前記チューナに設定するように構成してもよい。
【０００９】
または、このような放送受信機は、前記受信周波数設定装置において、前記スキャン範囲内に存在する前記チューナの受信状態が良好な周波数のうち、受信状態が最も良好な周波数を、以降受信する周波数として前記チューナに設定するように構成してもよい。
【００１０】
なお、以上の放送受信機において、前記チューナの前記周波数の受信状態は、前記チューナの当該周波数の受信電界強度に基づいて判定するようにしてもよい。
また、以上の放送受信機に、ユーザによって回転操作されるロータリエンコーダスイッチを設け、前記指定周波数受付装置において、前記ロータリエンコーダスイッチの回転操作を前記ユーザの周波数増減操作として受け付けるようにしてもよい。
また、以上の放送受信機は、前記放送としてラジオ放送を受信する放送受信機としてもよい。
以上のような放送受信機によれば、ユーザが周波数増減操作によって、受信を所望する周波数に正確に周波数を設定できずに、僅かにずれた周波数が設定されてしまった場合でも、ユーザが設定した周波数周辺の、受信状態が良好な周波数を、ユーザが周波数増減操作によって設定することを意図した所望の周波数であると推定して、チューナで以降受信する周波数として設定する。よって、ユーザは、受信を所望する周波数に正確に周波数を設定できなかった場合でも、周波数増減操作を再度行う必要がなくなる。
【００１１】
よって、本発明によれば、ユーザのマニュアルチューニング操作による受信周波数の設定作業を容易化することができる。
【発明の効果】
【００１２】
以上のように、本発明によれば、マニュアルチューニング操作による受信周波数の設定作業を容易化することができる。
【図面の簡単な説明】
【００１３】
【図１】本発明の実施形態に係る車載システムの構成を示すブロック図である。
【図２】本発明の実施形態に係るマニュアルチューニング処理を示すフローチャートである。
【図３】本発明の実施形態に係るマニュアルチューニング処理の動作例を示す図である。
【発明を実施するための形態】
【００１４】
以下、本発明の実施形態をラジオ放送を受信するチューナを備えた車載システムへの適用を例にとり説明する。
図１に、本実施形態に係る車載システムの構成を示す。
車載システムは、自動車に搭載される装置であり、図示するように、外部機器を接続するためのUSBやBluetooth(登録商標）などの外部インタフェース１０１、CDやDVDなどの記録ディスクの再生を行うディスクドライブ１０２、ラジオ放送を受信するチューナ１０３、ユーザの押し下げ操作を受け付ける複数のキースイッチ１０４、ユーザの回転操作を受け付けるロータリエンコーダスイッチ１０５、オーディオ処理部１０６、スピーカ１０７、ビデオ処理部１０８、表示装置１０９、以上の各部を制御する制御部１１０とを備えている。
【００１５】
ここで、制御部１１０は、ユーザのキースイッチ１０４の操作に応じて、チューナ１０３、記録ディスク、外部機器のいずれかをソースとして設定する。
そして、オーディオ処理部１０６は、チューナ１０３がソースに設定されているときには、チューナ１０３が出力した音声のスピーカ１０７への出力を行い、記録ディスクがソースに設定されているときには、ディスクドライブ１０２が記録ディスクから再生した音声データのスピーカ１０７への出力を行い、外部機器がソースに設定されているときには、外部インタフェース１０１に接続された外部機器から入力する音声データのスピーカ１０７への出力を行う。
【００１６】
また、ビデオ処理部１０８は、記録ディスクがソースに設定されているときには、ディスクドライブ１０２が記録ディスクから再生した映像データの表示装置１０９への出力を行い、外部機器がソースに設定されているときには、外部インタフェース１０１に接続された外部機器から入力する映像データの表示装置１０９への出力を行う。
【００１７】
そして、チューナ１０３は、制御部１１０からカレント周波数として設定された周波数の周波数チャネルで放送されている音声放送を受信し、受信した音声放送の音声を復調して出力する。
また、制御部１１０は、チューナ１０３をソースに設定しているときには、ユーザのキースイッチ１０４やロータリエンコーダスイッチ１０５の操作に応じて、チューナ１０３に設定するカレント周波数を変更する処理を行う。
以下、このように、ソースとしてチューナ１０３が設定されているときに、制御部１１０が、ユーザのロータリエンコーダスイッチ１０５の操作に応じて、チューナ１０３に設定するカレント周波数を変更するために行うマニュアルチューニング処理について説明する。なお、マニュアルチューニング処理は、ソースとしてチューナ１０３を設定したときに開始される。
【００１８】
図２に、このマニュアルチューニング処理の手順を示す。
図示するように、この処理では、まず、現在、チューナ１０３に設定しているカレント周波数を指定周波数として記憶する（ステップ２０２）。
そして、ユーザの周波数アップ/ダウン操作の発生を監視する（ステップ２０４）。ここで、制御部１１０は、ロータリエンコーダスイッチ１０５の時計回りの回転操作を周波数アップ操作として受け付け、ロータリエンコーダスイッチ１０５の反時計回りの回転操作を周波数ダウン操作として受け付ける。
【００１９】
そして、ユーザの周波数アップ/ダウン操作が発生したならば、オーディオ処理部１０６に、チューナ１０３が出力する音声のスピーカ１０７への出力を停止させる（ステップ２０６）。
そして、ユーザの周波数アップ/ダウン操作が停止するまで（ステップ２１０）、指定周波数を現在の値より操作方向に増加、または、減少させる（ステップ２０８）。すなわち、発生した操作が周波数アップ操作であれば、ロータリエンコーダスイッチ１０５の時計回りの回転量に応じた値、指定周波数を増加させ、発生した操作が周波数ダウン操作であれば、ロータリエンコーダスイッチ１０５の反時計回りの回転量に応じた値、指定周波数を減少させる。ここで、制御部１１０のステップ２０４、２０８の動作部分が、請求項の「指定周波数受付装置」に相当する。
【００２０】
ここで、ステップ２１０では、現時点における指定周波数の値を表示装置１０９に表示する処理も行うようにしてもよい。
そして、ユーザの周波数アップ/ダウン操作が停止したならば（ステップ２１０）、所定のタイムアウト時間（たとえば、0.5秒）を持つタイマをスタートし（ステップ２１２）、ユーザの周波数アップ/ダウン操作の発生と（ステップ２１４）、タイマのタイムアウトの発生と（ステップ２１６）とを監視する。
【００２１】
そして、ユーザの周波数アップ/ダウン操作が発生したならば（ステップ２１４）、ステップ２０８からの処理に戻る。
一方、タイマのタイムアウトが発生した場合には（ステップ２１６）、その時点の指定周波数をカレント周波数として、チューナ１０３に設定することにより、その時点の指定周波数、すなわち、ユーザが周波数アップ/ダウン操作で指定した周波数の受信を行わせる（ステップ２１８）。
【００２２】
そして、チューナ１０３で受信されるカレント周波数の周波数チャネルの受信電界強度をチューナ１０３より取得し、取得した受信電界強度が所定のしきい値Th以上であるかどうかを調べる（ステップ２２０）。ここで、しきい値Thとしては、ラジオ放送を良好に受信可能な受信電界強度の最小値を用いる。また、制御部１１０のステップ２１８、２２０の動作部分が、請求項の「指定周波数受信状態調査装置」に相当する。
【００２３】
そして、カレント周波数の周波数チャネルの受信電界強度が、所定のしきい値Th以上であれば（ステップ２２０）、オーディオ処理部１０６に、チューナ１０３が出力する音声のスピーカ１０７への出力を再開させ（ステップ２３０）、ステップ２０２からの処理に戻る。
【００２４】
一方、カレント周波数の受信電界強度が、所定のしきい値Th以上でなければ（ステップ２２０）、現時点の指定周波数を中心周波数とする所定の周波数範囲（たとえば、指定周波数-300KHzから指定周波数+300KHzの範囲)をスキャン周波数範囲として、チューナ１０３にスキャン周波数範囲内の周波数チャネルをスキャンさせる（ステップ２２２）。ここで、該所定の周波数範囲は、例えば現時点の良好な受信状態のチャネルの数（チャネル間の周波数間隔の大きさ）により設定されてもよい。例えば、良好な受信状態のチャネルが多くて、各チャネルの間の平均間隔が小さい場合、所定の周波数範囲は小さめに設定できる。逆に、良好な受信状態のチャネルが少なくて、各チャネルの間の平均間隔が大きい場合、所定の周波数範囲は大きめに設定できる。要すると、該所定の周波数範囲は１MHzまたはその以下に設定されるのが好ましい。本実施形態で、該所定の周波数範囲は、指定周波数-300KHzから指定周波数+300KHzの範囲に設定されている。ただし、ステップ２２２では、現時点の指定周波数を含み、現時点の指定周波数と異なる周波数を中心周波数とする所定の周波数範囲をスキャン周波数範囲として、チューナ１０３にスキャン周波数範囲内の周波数チャネルをスキャンさせるようにしてもよい。すなわち、たとえば、現在の指定周波数が周波数アップ操作によって設定されたものである場合には、ユーザの周波数アップ操作の停止の遅れのために、現在の指定周波数がユーザの意図した周波数よりも増加し過ぎた周波数となっている蓋然性が大きいので、現時点の指定周波数より小さな周波数を中心周波数とする所定の周波数範囲をスキャン周波数範囲とするようにしてもよい。また、同様に、たとえば、現在の指定周波数が周波数ダウン操作によって設定されたものである場合には、ユーザの周波数ダウン操作の停止の遅れのために、現在の指定周波数がユーザの意図した周波数よりも減少し過ぎた周波数となっている蓋然性が大きいので、現時点の指定周波数より大きな周波数を中心周波数とする所定の周波数範囲をスキャン周波数範囲とするようにしてもよい。
【００２５】
すなわち、ステップ２２２では、チューナ１０３に設定するカレント周波数を、スキャン周波数範囲の最小値から最大値まで所定のステップ周波数単位で変化させながら、カレント周波数として設定した各周波数に対してチューナ１０３で受信された受信電界強度をチューナ１０３から取得する。
そして、スキャン（ステップ２２２）が終了したならば、しきい値Th以上の受信電界強度が得られた周波数がスキャン周波数範囲内に存在したかどうかを調べ（ステップ２２４）、存在していなければ、その時点の指定周波数をカレント周波数として、チューナ１０３に設定し直す（ステップ２２８）。そして、オーディオ処理部１０６に、チューナ１０３が出力する音声のスピーカ１０７への出力を再開させ（ステップ２３０）、ステップ２０２からの処理に戻る。ここで、この制御部１１０のステップ２２２、２２４、２２６、２３０の動作部分と、ステップ２２０でカレント周波数の周波数チャネルの受信電界強度が、所定のしきい値Th以上である場合にカレント周波数を維持する動作部分とが、請求項の「受信周波数設定装置」に相当する。
【００２６】
一方、しきい値Th以上の受信電界強度が得られた周波数がスキャン周波数範囲内に存在した場合には（ステップ２２４）、当該存在した周波数をカレント周波数として、チューナ１０３に設定し（ステップ２２６）、オーディオ処理部１０６に、チューナ１０３が出力する音声のスピーカ１０７への出力を再開させ（ステップ２３０）、ステップ２０２からの処理に戻る。
【００２７】
ここで、ステップ２２６では、しきい値Th以上の受信電界強度が得られた周波数がスキャン周波数範囲内に複数存在した場合には、存在した周波数の内で最も、その時点の指定周波数に近い周波数をカレント周波数としてチューナ１０３に設定するようにしてもよいし、存在した周波数の内で最も大きい受信電界強度が得られた周波数をカレント周波数としてチューナ１０３に設定するようにしてもよい。
または、ステップ２２６では、指定周波数に近い順に各周波数の受信電界強度を調べ、しきい値Th以上の受信電界強度が得られる周波数を発見できた時点でスキャンを終了して、当該発見できた周波数をカレント周波数としてチューナ１０３に設定するようにしてもよい。
【００２８】
以上、制御部１１０が行うマニュアルチューニング処理について説明した。
ここで、図３に、このようなマニュアルチューニング処理の処理例を示す。
図３ａに示すように、現在91.3MHz、98.1MHz、104.3MHzの三つの周波数の周波数チャネルについて、これら周波数チャネルをチューナ１０３が受信したときに得られる受信電界強度がしきい値Th以上となるものとする。すなわち、現在、ラジオ放送を良好に受信できる周波数チャネルが、91.3MHz、98.1MHz、104.3MHzの周波数チャネルであるもとする。
【００２９】
そして、このような受信状況において、図３ｂに示すように、時刻ｔ０において、チューナ１０３が受信している周波数チャネルの周波数（カレント周波数）が91.3MHzであり（３０１）、91.3MHzの周波数チャネルで受信したラジオ放送の音声がスピーカ１０７から出力されている（３０２）ものとする。
【００３０】
この状況で、時刻ｔ１からｔ２の間に91.3MHzから98.0MHzに周波数を増加するユーザの周波数アップ操作（３１１）が発生すると、チューナ１０３が出力する音声スピーカから出力は停止され（３１２）、時刻ｔ２において、カレント周波数が98.0MHzに変更され、チューナ１０３は98.0MHzの受信を開始する（３２１）。
【００３１】
しかし、図３ａに示すように98.0MHzの受信電界強度はしきい値Th未満であるので、時刻ｔ３において、98.0MHzを中心とするスキャン周波数範囲（97.7MHz-98.3MHz）でカレント周波数を変化させながら受信電界強度を調査するスキャンが開始される（３３１）。
すると、時刻ｔ３からｔ４まで行われたスキャン中に、スキャン範囲内に、しきい値Th以上の受信電界強度の周波数として98.1MHzが発見され、時刻ｔ４において、98.1MHzがカレント周波数としてチューナ１０３に設定され、98.1MHzの受信が開始される（３４１）と共に、音声出力が再開され、チューナ１０３が98.1MHの周波数チャネルで受信したラジオ放送の音声がスピーカ１０７から出力されるようになる（３４２）。
【００３２】
以上、本発明の実施形態について説明した。
なお、以上の実施形態では、ロータリエンコーダスイッチ１０５の回転操作を周波数アップ/ダウン操作として受け付ける場合について示したが、本実施形態は、アップキーとダウンキーとに割り当てたキースイッチ１０４を設け、アップキーの押し下げ操作を周波数アップ操作として受け付け、アップキーの押し下げ期間中、上記した指定周波数を増加させ、ダウンキーの押し下げ操作を周波数ダウン操作として受け付け、ダウンキーの押し下げ操作期間中、上記した指定周波数を減少させる場合についても同様に適用することができる。
【００３３】
また、以上の実施形態は、受信電界強度に代えて、受信状態の良否を表す任意の値を用いるようにしてもよい。すなわち、この場合には、マニュアルチューニング処理のステップ２２０を、カレント周波数の受信状態が良好なときにステップ２３０に進み、受信状態が不良のときにステップ２２２に進む処理とし、ステップ２２４を、受信状態が良好な受信周波数がスキャン周波数範囲内に存在した場合にはステップ２２６に進み、存在しなかった場合にはステップ２２８に進む処理とする。
【００３４】
なお、受信状態の良否を表す値としては、ＳＮ比、受信する放送がデジタルラジオ放送である場合における受信信号に対する同期の有無や受信データの誤り発生率などを用いることができる。
また、本実施形態は、ラジオ放送の受信機のみならず、任意の放送の放送受信機について、同様に適用することができる。
以上のように、本実施形態によれば、ユーザが周波数アップ/ダウン操作によって、受信を所望する周波数に正確に周波数を設定できずに、僅かにずれた周波数が設定されてしまった場合でも、ユーザが設定した周波数周辺の、受信状態が良好な周波数を、ユーザが周波数アップ/ダウン操作によって設定することを意図した所望の周波数であると推定して、チューナ１０３で以降受信する周波数として設定する。よって、ユーザは、受信を所望する周波数に正確に周波数を設定できなかった場合でも、周波数アップ/ダウン操作を再度行う必要がなくなる。
【００３５】
よって、本発明によれば、マニュアルチューニング操作による受信周波数の設定作業を容易化することができる。
【符号の説明】
【００３６】
１０１…外部インタフェース、１０２…ディスクドライブ、１０３…チューナ、１０４…キースイッチ、１０５…ロータリエンコーダスイッチ、１０６…オーディオ処理部、１０７…スピーカ、１０８…ビデオ処理部、１０９…表示装置、１１０…制御部。
【図１】
2014064266.tif 000003
【図２】
2014064266.tif 000004
【図３】
2014064266.tif 000005